(57)【要約】【課題】室内空気の流通路の遮断を防止する。【解決手段】棚部材５０は、貯蔵庫１０における断熱箱体１２の内部に画成された収納室２０に設置され、後端部における幅方向の全長に亘って、載置面５２より上方に位置して延在するストッパ５４を備えている。棚部材５０におけるストッパ５４は、載置面５２と非平行になるよう形成され、幅方向に対向する枠材５２ａ間を跨ぎ、略中央部を頂点とする山形に形成されている。ストッパ５４の上辺５４ａに載置面５２に載置した物品の一部が載った際に、物品が幅方向に傾斜するようになっている。【選択図】図１
2005049053.tif 000002
【特許請求の範囲】
【請求項１】
物品(M)が載置される載置面(52)と、該載置面(52)の後端部近傍に立設されて前記物品(M)の後部を規制するストッパ(54,57,59,61,64,74)とを有し、断熱箱体(12)の内部に画成した収納室(20)に設置されて、前記ストッパ(54,57,59,61,64,74)と断熱箱体(12)の内壁面(12b)との間に空気流通用の間隙を確保した貯蔵庫の棚部材において、
前記ストッパ(54,57,59,61,64,74)の形状を、前記載置面(52)に載置した物品(M)の一部が該ストッパ(54,57,59,61,64,74)の上辺に位置した際に、該物品(M)が載置面(52)に対し幅方向に傾斜し得るよう設定した
ことを特徴とする貯蔵庫の棚部材。
【請求項２】
前記ストッパ(54,57,59)の上辺を、前記載置面(52)に対し傾斜させるよう形成した請求項１記載の貯蔵庫の棚部材。
【請求項３】
前記ストッパ(61)の上辺を、円弧状に形成した請求項１記載の貯蔵庫の棚部材。
【請求項４】
前記ストッパ(64,74)の上辺より上方に突出する突起部(66,76)を形成した請求項１記載の貯蔵庫の棚部材。
【発明の詳細な説明】
【技術分野】
【０００１】
この発明は、冷蔵ショーケースや冷蔵庫等の貯蔵庫における収納室に設置して物品を載置することで、該収納室の室内スペースの有効利用を図る貯蔵庫の棚部材に関するものである。
【背景技術】
【０００２】
図８または図９に示すように、食品や飲料品等の物品Ｍを冷蔵や冷凍等して保存する貯蔵庫１０は、内箱１４と外箱１６とで画成される空間部分に断熱材１８を充填した断熱箱体１２を本体とし、この断熱箱体１２の内部には、物品Ｍを収納するための収納室２０が画成される。この収納室２０には、前方に開放する矩形状の開口部１２ａが開設され、該開口部１２ａは縦方向に延在する支柱２１により左右に区分されると共に、幅方向に延在する仕切板２２により上下に区分されている。そして、前記開口部１２ａは、図示しないヒンジで回動自在に支持された扉２４により開閉可能に夫々閉成される。
【０００３】
前記断熱箱体１２の外部上方には、機械室２６が画成され、この機械室２６に圧縮機、凝縮器および凝縮器用ファン等からなる冷却装置２８が配設されている。また、前記断熱箱体１２の内部には、前記収納室２０の上部に配設されたダクト３０により上下に仕切られて冷却室３２が画成され、該冷却室３２には冷却器３４および送風ファン３６が収納配置されている。前記冷却装置２８と冷却器３４との間は、図示しない冷媒配管で接続され、該冷却装置２８を運転することで、冷媒が循環供給されて冷却器３４を冷却するよう構成される。そして、前記送風ファン３６を回転することにより、前記ダクト３０の前側に開設された吸込口３８から冷却室３２に吸込んだ収納室２０内の空気を、前記冷却器３４に接触させて冷気とした後、該ダクト３０の後側に設けた吹出口４０を介して収納室２０内に吹出すようになっている。前記吹出口４０から吹き出された冷気は、断熱箱体１２の後壁面１２ｂ(収納室２０における奥側の壁面)に沿って下降し、前記収納室２０内を循環して物品Ｍを冷却するようになっている。
【０００４】
前記収納室２０内には、室内スペースを有効に利用するため、物品Ｍを載置する棚部材４２が必要に応じて設置される。この棚部材４２は、棚柱４４に取付けた棚受金４６および支持梁４８で所要位置に保持されている。前記棚柱４４は、前記断熱箱体１２の開口部１２ａに近接した収納室２０の側壁面、後壁面１２ｂおよび支柱２１の内壁面の夫々に縦方向に延在するよう配設され、上下方向に複数の係止孔４４ａが開設されている。すなわち、前記棚受金４６の係止爪を前記係止孔４４ａに係合して位置決めした該棚受金４６の上面に、棚部材４２が載置されている。また、前記支持梁４８は、両端を棚受金４６,４６で支持され、支持間隔が広くなる前記棚部材４２の前面側を保持している。そして、前記棚受金４６の上下の配設数および設置位置を調整することで、前記棚部材４２の設置高さおよび上下の間隔や設置数の増減が適宜調整される。
【０００５】
図１０に示すように、前記棚部材４２は、例えば矩形状に形成した枠材４２ａの内部に格子状に線材４２ｂを組合わせて網状の載置面を形成している。前記棚部材４２を収納室２０に設置した際に、奥側に位置する後端部近傍には、上方に立ち上がるストッパ４２ｃが形成されている。すなわち、このストッパ４２ｃは、物品Ｍを前記棚部材４２の載置面に載置した際に、前記断熱箱体１２の後壁面１２ｂに物品Ｍが密着して冷気の流通路を遮断することを防ぎ、該棚部材４２の後端と断熱箱体１２の後壁面１２ｂとの間に冷気が循環し得る流通路を確保することを目的としている。更に、冷気の循環を良好にするため、各棚部材のストッパに風向き制御板を取付け、冷気を各棚部材において分流し得るよう構成した冷蔵庫が提案されている(例えば、特許文献１参照)。
【特許文献１】特開平５−２０３３１５号公報
【発明の開示】
【発明が解決しようとする課題】
【０００６】
しかし、前記ストッパ４２ｃの上辺が載置面と平行であるため、物品Ｍが箱状等である場合には、該物品Ｍを棚部材４２のストッパ４２ｃに載せても使用者が気づかない虞れがある(図８,図９参照)。すなわち、この場合にはストッパ４２ｃは物品Ｍの移動を規制する役目を果たせず、前記断熱箱体１２の後壁面１２ｂに物品Ｍが密着して冷気の流通路を遮断してしまい、収納室２０内の冷却効率が悪化してしまう問題が指摘される。
【０００７】
すなわちこの発明は、従来の技術に係る貯蔵庫の棚部材に内在する前記問題に鑑み、これらを好適に解決するべく提案されたものであって、収納室の棚部材に物品を載置した際、ストッパ上に物品が載っている場合、この物品が傾くことで注意を喚起し、冷却効率または保温効率の低下を招く流通路の遮断を防止し得る貯蔵庫の棚部材を提供することを目的とする。
【課題を解決するための手段】
【０００８】
前記課題を克服し、所期の目的を達成するため、本発明に係る貯蔵庫の棚部材は、
物品が載置される載置面と、該載置面の後端部近傍に立設されて前記物品の後部を規制するストッパとを有し、断熱箱体の内部に画成した収納室に設置されて、前記ストッパと断熱箱体の内壁面との間に空気流通用の間隙を確保した貯蔵庫の棚部材において、
前記ストッパの形状を、前記載置面に載置した物品の一部が該ストッパの上辺に位置した際に、該物品が載置面に対し幅方向に傾斜し得るよう設定したことを特徴とする。
【発明の効果】
【０００９】
本発明に係る貯蔵庫の棚部材によれば、ストッパの形状を、載置面に載置した物品の一部が該ストッパの上辺に位置した際に、該物品が載置面に対し幅方向に傾斜し得るよう設定したので、冷気または暖気の流通路(空気流通用の間隙)を遮断するような物品の載置不良について利用者に注意を喚起し得る。すなわち、断熱箱体の内壁面に物品が密着して冷気の流通路を遮断することを防ぎ、該ストッパと断熱箱体の内壁面との間に冷気が循環し得る流通路を確保することができる。従って、収納室内を効率よく冷気または暖気が循環するので、収納した物品を好適に保存し得る。
【発明を実施するための最良の形態】
【００１０】
棚部材は、貯蔵庫における断熱箱体の内部に画成された収納室に設置され、後端部におけるその全長に亘って、載置面より上方に位置して延在するストッパを備えている。前記棚部材におけるストッパの上辺は、載置面とは非平行となるよう形成され、該ストッパの上辺に物品が載った際には、該物品が幅方向に傾斜するようになっている。
【実施例１】
【００１１】
次に、本発明に係る貯蔵庫の棚部材につき、好適な実施例を挙げて、添付図面を参照して以下に説明する。ここで実施例の貯蔵庫は、図８または図９に示した貯蔵庫と同一のものを採用するので、説明の便宜上、この貯蔵庫の構成要素と同一の要素については、同一の符号を使用して詳細な説明は省略する。
【００１２】
貯蔵庫１０は、内箱１４と外箱１６の間に断熱材１８を充填してなる本体としての断熱箱体１２の内部に、食品や飲料品等の物品Ｍを収納する収納室２０が画成されている。また、前記収納室２０の上部には、冷却器３４および送風ファン３６を備えた冷却室３２が画成され、該冷却器３４には断熱箱体１２の外部上方に設けられた機械室２６に格納された冷却装置２８から冷媒が供給されるよう構成されている。そして、前記送風ファン３６を回転することにより、前記ダクト３０の前側に開設された吸込口３８から冷却室３２に吸込んだ収納室２０内の空気を、前記冷却器３４に接触させて冷気とした後、該ダクト３０の後側に設けた吹出口４０を介して収納室２０内に吹出すようになっている。前記吹出口４０から吹き出された冷気は、断熱箱体１２の後壁面１２ｂ(収納室２０における奥側の壁面)に沿って下降し、前記収納室２０内を循環して物品Ｍを冷却するようになっている。
【００１３】
前記収納室２０内には物品Ｍを載置するため、幅方向に複数の棚部材５０が設置されると共に、上下方向にも複数の棚部材５０が棚受構造を介して設置されている。前記棚部材５０を収納室２０の所要位置に保持する棚受構造は、前記断熱箱体１２の内壁面に配設された棚柱４４と、該棚柱４４に係合して棚部材５０を保持する棚受金４６と、支持間隔が広くなる棚部材５０の前面側を保持する支持梁４８から構成されている(図２参照)。前記棚柱４４は、前記断熱箱体１２の開口部１２ａに近接した収納室２０の側壁面、後壁面１２ｂおよび支柱２１の内壁面の夫々に縦方向に延在するよう配設され、上下方向に複数の係止孔４４ａが開設されている。前記棚受金４６の係止爪を前記係止孔４４ａに係合して位置決めした該棚受金４６の上面に、棚部材４２の後端が載置されると共に、両端を棚受金４６,４６で支持されて開口部１２ａの幅方向に延在する支持梁４８で、該棚部材４２の前面側を保持するよう構成されている。
【００１４】
前記棚部材５０は、矩形状に形成した枠材５２ａと、該枠材５２ａの内部に縦横に格子状に組付けられた線材５２ｂとから物品Ｍを保持する面となる網状の載置面５２が構成されている。前記載置面５２の後端部に近接する部位には、上方に突出して幅方向の全長に亘って延在するストッパ５４が配設されている。このストッパ５４は、その上辺５４ａが前記載置面５２に対し傾斜するように折曲加工することで、該載置面５２とは非平行になるよう形成され、幅方向に対向する枠材５２ａ間を跨ぎ、略中央部を頂点とする山形に形成されている。そして、前記ストッパ５４の上辺５４ａは、略中央部の頂点から幅方向の各端部に向かうにつれて下方傾斜するようになっている。すなわち、前記ストッパ５４の形状を、前記載置面５２に載置した物品Ｍの一部が該ストッパ５４の上辺５４ａに位置した際に、該物品Ｍが載置面５２に対し幅方向に傾斜し得るよう設定してある。そして、前記ストッパ５４は、前記載置面５２に載置された物品Ｍの後方への移動を規制して、物品Ｍと断熱箱体１２の後壁面１２ｂとの間に冷気の流通路(空気流通用の間隙)を確保するべく機能する。
【００１５】
次に、実施例１に係る貯蔵庫の棚部材の作用について説明する。物品Ｍを前記棚部材５０に載置した際、前記載置面５２より上方に立ち上がったストッパ５４に物品Ｍが突き当たり、後方への移動が規制される。すなわち、前記断熱箱体１２の後壁面１２ｂに物品Ｍが密着して冷気の流通路を遮断することを防ぎ、該物品Ｍの後端と断熱箱体１２の後壁面１２ｂとの間に冷気が循環し得る流通路を確保することができる。従って、収納室２０内を冷気が好適に循環し得るので、冷却効率が低下することはない。
【００１６】
また、前記物品Ｍを誤って前記ストッパ５４の上辺５４ａに載置した場合は、図２に示すように、載置した物品Ｍが幅方向に傾いた状態となるので、使用者に物品Ｍが載置不良状態にあることを注意喚起し得る。従って、前記断熱箱体１２の後壁面１２ｂに物品Ｍが密着することによる冷気流通路の遮断を防ぐことができる。
【００１７】
実施例１では、前記ストッパ５４の上辺５４ａを略中央部が頂点となるように山形に形成したが、これに限定されず、物品Ｍを誤ってストッパ５４の上辺５４ａに載置した際に、物品Ｍが幅方向に傾くようになる形状であればよい。すなわち、図３に示す棚部材５６は、幅方向に対向する枠材間を跨ぐストッパ５７が、一方の端部から他方の端部に向けて片側に傾斜する態様であり、また図４に示す棚部材５８のように、山を２つ形成したストッパ５９の態様である。更に、図５に示すように、ストッパ６１を上方に向けて円弧状に形成する棚部材６０の態様等も採用することができる。
【実施例２】
【００１８】
図６は、実施例２に係る貯蔵庫の棚部材を示す概略斜視図である。実施例１の棚部材５０におけるストッパ５４は、その上辺５４ａを略中央部に頂点を有する山形に、連続的に形成したが、実施例２の棚部材６２において、ストッパ６４は、幅方向に対向する枠材５２ａ間を跨ぎ、載置面５２と平行に延在する辺の略中央部に、その上辺から上方に向けて山形に突出形成した突起部６６が設けられている。従って、物品Ｍを誤って前記ストッパ６４に載置した場合であっても、前記突起部６６に物品Ｍが載るため、該物品Ｍが幅方向に傾いた状態となり、使用者に物品Ｍが載置不良状態にあることを注意喚起し得る。また、図７に示すように、突起部７６はストッパ７４を折曲形成するのではなく、別体に形成した突起部７６を載置面５２から突設する棚部材７０の構成も採用し得る。更に、前記突起部は山形に限定されず、円形、角形や棒状であってもよい。
【００１９】
実施例１または実施例２の棚部材は、矩形状に形成した枠材に格子状に線材を組合わせて形成されている。この棚部材は、載置する物品Ｍの重量を保持できる適切な強度や該物品Ｍの大きさ等の関係で多種のものが採用され、例えばトレー状の棚部材における後端にストッパを形成したものであってもよい。
【００２０】
なお、実施例１または実施例２においては、収納した物品を冷却する貯蔵庫としての冷蔵庫を挙げて説明したが、収納した物品を冷凍する冷凍庫や収納した物品を保温する温蔵庫等であって、棚部材の後端側に室内空気の流通路を要する構成であれば、本発明に係る棚部材を好適に採用し得る。
【図面の簡単な説明】
【００２１】
【図１】本発明の好適な実施例１に係る貯蔵庫の棚部材を示す概略斜視図である。
【図２】実施例１の貯蔵庫の棚部材の使用状況を示す正面図である。
【図３】実施例１に係る貯蔵庫の棚部材の変更例を示す概略斜視図である。
【図４】実施例１に係る貯蔵庫の棚部材の別の変更例を示す概略斜視図である。
【図５】実施例１に係る貯蔵庫の棚部材の更に別の変更例を示す概略斜視図である。
【図６】実施例２に係る貯蔵庫の棚部材を示す概略斜視図である。
【図７】実施例２に係る貯蔵庫の棚部材の変更例を示す概略斜視図である。
【図８】従来の棚部材を配設した貯蔵庫を示す側断面図である。
【図９】従来の棚部材を配設した貯蔵庫を示す横断面図である。
【図１０】従来の棚部材を示す概略斜視図である。
【符号の説明】
【００２２】
１２ 断熱箱体，１２ｂ 後壁面(内壁面)，２０ 収納室，５２ 載置面
５４ ストッパ，５７ ストッパ，５９ ストッパ，６１ ストッパ，６４ ストッパ
６６ 突起部，７４ ストッパ，７６ 突起部，Ｍ 物品
【図１】
2005049053.tif 000003
【図２】
2005049053.tif 000004
【図３】
2005049053.tif 000005
【図４】
2005049053.tif 000006
【図５】
2005049053.tif 000007
【図６】
2005049053.tif 000008
【図７】
2005049053.tif 000009
【図８】
2005049053.tif 000010
【図９】
2005049053.tif 000011
【図１０】
2005049053.tif 000012